(57)【要約】【課題】気象状態がユーザの心身に与える影響が考慮された形で、当該ユーザの心身に好影響をもたらすように浴室状態を構成する要素が調節され得るシステムを提供する。【解決手段】本発明の浴室状態管理システムによれば、第１認識ユニット１１０により、まず気象状態と浴室状態を構成する要素の調節態様との対応関係が認識される。次に、当該対応関係に従い、気象状態認識ユニット１０２により認識された気象状態に対応する要素の調節態様が認識される。そして、第１認識ユニット１１０により認識された要素の調節態様に従い、要素調節処理ユニット１３０や給湯装置２１０等により当該要素が調節される。【選択図】  図１
2004301379.tif 000002
【特許請求の範囲】
【請求項１】
浴室状態を管理するシステムであって、
気象状態を認識する気象状態認識手段と、
気象状態と、浴室状態を構成する要素の調節態様との対応関係を認識した上で、該対応関係に従い、気象状態認識手段により認識された気象状態に対応する要素の調節態様を認識する第１認識手段と、
第１認識手段により認識された要素の調節態様に従い該要素を調節する要素調節手段とを備えていることを特徴とする浴室状態管理システム。
【請求項２】
要素調節手段による要素の調節態様の設定操作機能を有する設定操作手段を備えていることを特徴とする請求項１記載の浴室状態管理システム。
【請求項３】
気象状態認識手段により認識された気象状態と、設定操作手段の操作を通じて設定された要素の調節態様との対応関係に近づくように、第１認識手段により認識され、要素調節手段が従う前記対応関係を補正する対応関係補正手段を備えていることを特徴とする請求項２記載の浴室状態管理システム。
【請求項４】
浴室状態を構成する要素の調節態様と入浴方法との対応関係を認識した上で、該対応関係に従い、第１認識手段により認識された要素の調節態様に対応する入浴方法を認識する第２認識手段と、
第２認識手段により認識された入浴方法に関する情報を浴室又は浴室に連通する空間に提供する第１情報提供手段とを備えていることを特徴とする請求項１、２又は３記載の浴室状態管理システム。
【請求項５】
気象状態認識手段により認識された気象状態に関する情報を浴室又は浴室に連通する空間に提供する第２情報提供手段を備えていることを特徴とする請求項１、２、３又は４記載の浴室状態管理システム。
【請求項６】
気象状態認識手段が、気温、湿度、気圧、降雨量、風向及び風速のうち少なくとも１つを気象状態として認識することを特徴とする請求項１、２、３、４又は５記載の浴室状態管理システム。
【請求項７】
浴室に湯水を供給する給湯装置、給湯装置により浴室に供給される湯水に薬剤を混入する薬剤混入装置、浴室の空気状態を調節する浴室空調装置、浴室に照明を施す浴室照明装置、映像装置及び音響装置のうち少なくとも１つを備え、
要素調節手段が給湯装置により浴室へ供給される湯水、薬剤混入装置により該湯水に混入される薬剤、浴室空調装置により調節される浴室の空気状態、浴室照明装置による照明、映像装置を通じて提供される映像コンテンツ、及び音響装置を通じて提供される音響コンテンツのうち少なくとも一要素を調節することを特徴とする請求項１、２、３、４、５又は６記載の浴室状態管理システム。
【発明の詳細な説明】
【０００１】
【発明の属する技術分野】
本発明は、浴室の状態を管理するシステムに関する。
【０００２】
【従来の技術】
入浴は単に身体の清潔の観点のみならず、心身のリラックス等の観点から、生活時間の中で重要な位置を占めており、より心地よい浴室状態の実現という観点から様々な商品が提供されている。
【０００３】
例えば、浴室温度（送風温度）、送風量等の空気状態を調節する浴室空調装置が提供されている（例えば、特許文献１参照）。また、浴室に映像や音響コンテンツを提供する映像装置や音響装置が提供されている。さらに、浴槽の湯に色彩や芳香を与える入浴剤や、浴室内に芳香をもたらす芳香剤が提供されている。
【０００４】
ユーザは浴室空調装置により調節される浴室の空気状態や、映像装置により提供される映像コンテンツ等を設定することで、当該空気状態や映像コンテンツ等の要素により構成される浴室状態において入浴時間を過ごすことができる。
【０００５】
【特許文献１】
特開２００２−３３３２０４号公報
【０００６】
【発明が解決しようとする課題】
しかし、従来、次に説明するように、気象状態がユーザの心身に与える影響が考慮された形で浴室の空気状態や、湯温、映像コンテンツ等の要素が調節されていなかった。
【０００７】
すなわち、本願発明者の得た知見によれば、気温、湿度、気圧等の気象状態がユーザの心身に何らかの影響を与え、この心身の状態に応じて当該ユーザが心地よさを感じ得るような浴室状態が変化する。
【０００８】
例えば、気温及び湿度がともに非常に高い気象状態に応じ、ユーザは当該気象状態から逃れたいという心理になり、清涼感を感じ得るような浴室状態を心地よいと感じる傾向がある。また、気温及び気圧がともに低い気象状態に応じ、ユーザは身体の各関節にだるさや痛みを覚え、そのだるさ等を軽減し得るような効能が得られる浴室状態を希望する傾向がある。
【０００９】
しかるに、従来は前記のように気象状態がユーザの心身に与える影響が考慮された形で浴室の空気状態や、湯温、映像コンテンツ等の要素が調節されていなかった。このため、ユーザが自ら空気状態や湯温等の要素を調節することになるが、当該要素により最終的に構成される浴室状態は、気象状態により影響を受けたユーザの心身に適したものにならず、当該ユーザに違和感を感じさせる場合もあった。
【００１０】
そこで、本発明は、気象状態がユーザの心身に与える影響が考慮された形で、当該ユーザの心身に好影響をもたらすように浴室状態を構成する要素が調節され得るシステムを提供することを解決課題とする。
【００１１】
【課題を解決するための手段】
前記課題を解決するための本発明の浴室状態管理システムは、気象状態を認識する気象状態認識手段と、気象状態と、浴室状態を構成する要素の調節態様との対応関係を認識した上で、該対応関係に従い、気象状態認識手段により認識された気象状態に対応する要素の調節態様を認識する第１認識手段と、第１認識手段により認識された要素の調節態様に従い該要素を調節する要素調節手段とを備えていることを特徴とする。
【００１２】
本発明によれば、第１認識手段により認識された「気象状態と要素の調節態様との対応関係」に従い、気象状態認識手段により認識された気象状態に対応する要素の調節態様が第１認識手段により認識される。また、第１認識手段により認識された浴室状態を構成する要素の調節態様に従い、当該要素が要素調節手段により調節される。
【００１３】
従って、第１認識手段により認識される当該対応関係が、専門家等により気象状態がユーザの心身に与える影響が考慮された上で設定されることで、当該ユーザの心身に好ましい影響が与えられるように浴室状態を構成する要素が調節され得る。
【００１４】
なお、気象状態認識手段により認識される気象状態には、現在の気象状態のほか、過去の気象状態、及び予測される将来の気象状態が含まれる。
【００１５】
また本発明の浴室状態管理システムは、要素調節手段による要素の調節態様の設定操作機能を有する設定操作手段を備えていることを特徴とする。
【００１６】
本発明によれば、浴室状態を構成する要素の調節態様が、ユーザによる設定操作手段の操作を通じて設定（変更）され得る。従って、気象状態認識手段により認識された気象状態に応じて自動調節される要素がユーザの嗜好に適合しない場合、当該要素の調節態様がユーザの嗜好に適合するように変更され得る。
【００１７】
さらに本発明の浴室状態管理システムは、気象状態認識手段により認識された気象状態と、設定操作手段の操作を通じて設定された要素の調節態様との対応関係に近づくように、第１認識手段により認識され、要素調節手段が従う前記対応関係を補正する対応関係補正手段を備えていることを特徴とする。
【００１８】
本発明によれば、気象状態に応じた要素の調節態様が、ユーザによる設定操作手段の操作を通じて変更された場合、当該変更後の気象状態と要素の調節態様との対応関係に近づくように、第１認識手段により認識される当該変更前の対応関係が対応関係補正手段により補正される。また、その後当該気象状態が気象状態認識手段により認識された場合、補正後の対応関係に従って要素調節手段により要素が調節される。
【００１９】
補正後の対応関係には設定操作手段を操作したユーザの嗜好等が反映されているので、当該補正後の対応関係に従って浴室状態の構成要素が、当該ユーザの嗜好に適合するように調節され得る。
【００２０】
また本発明の浴室状態管理システムは、浴室状態を構成する要素の調節態様と入浴方法との対応関係を認識した上で、該対応関係に従い、第１認識手段により認識された要素の調節態様に対応する入浴方法を認識する第２認識手段と、第２認識手段により認識された入浴方法に関する情報を浴室又は浴室に連通する空間に提供する第１情報提供手段とを備えていることを特徴とする。
【００２１】
本発明によれば、第２認識手段により認識された要素の調節態様と入浴方法との対応関係に従い、第１認識手段により認識された要素の調節態様に対応する入浴方法に関する情報が第１情報提供手段によりユーザに提供される。
【００２２】
第２認識手段により認識される要素の調節態様と入浴方法との対応関係が、医師等の専門家により設定されることで、要素の調節態様に応じ、ユーザの健康保持・増進の観点から適切な入浴方法に関する情報が当該ユーザに提供され得る。これにより、前記のように気象状態がユーザの心身に及ぼす影響が考慮されて実現された浴室状態において、健康保持等を図り得るように当該ユーザに入浴時間を過ごさせることができる。
【００２３】
さらに本発明の浴室状態管理システムは、気象状態認識手段により認識された気象状態に関する情報を浴室又は浴室に連通する空間に提供する第２情報提供手段を備えていることを特徴とする。
【００２４】
本発明によれば、第２情報提供手段により現在、過去、予測される将来の気象状態に関する情報がユーザに提供される。従って、ユーザに気象状態と要素の調節態様との対応関係を認識させ、当該対応関係の認識に対する興味、さらには本発明の浴室状態管理システムの利用に対する魅力を覚えさせることができる。
【００２５】
また本発明の浴室状態管理システムは、気象状態認識手段が、気温、湿度、気圧、降雨量、風向及び風速のうち少なくとも１つを気象状態として認識することを特徴とする。
【００２６】
本発明によれば、気温、湿度、気圧、降雨量等がユーザの心身に与える影響が考慮された形で要素が調節され得る。
【００２７】
さらに本発明の浴室状態管理システムは、浴室に湯水を供給する給湯装置、給湯装置により浴室に供給される湯水に薬剤を混入する薬剤混入装置、浴室の空気状態を調節する浴室空調装置、浴室に照明を施す浴室照明装置、映像装置及び音響装置のうち少なくとも１つを備え、要素調節手段が給湯装置により浴室へ供給される湯水、薬剤混入装置により該湯水に混入される薬剤、浴室空調装置により調節される浴室の空気状態、浴室照明装置による照明、映像装置を通じて提供される映像コンテンツ、及び音響装置を通じて提供される音響コンテンツのうち少なくとも一要素を調節することを特徴とする。
【００２８】
本発明によれば（ａ）浴室に供給される湯水、（ｂ）当該湯水に混入される薬剤、（ｃ）浴室における空気状態、（ｄ）浴室の照明、（ｅ）映像コンテンツ、及び（ｆ）音響コンテンツのうち１つ以上の要素が調節されることで浴室状態が実現される。
【００２９】
本発明によれば、要素（ａ）〜（ｆ）の調節態様に幅を持たせることにより、ユーザの幅広い嗜好に適合する浴室状態を実現することができる。
【００３０】
例えば（ａ）浴室に供給される湯水や（ｃ）浴室の空気状態の調節態様が制御されることで、浴室に供給される湯水やミストの動き、音、温度等が変化する。そして、その視覚を通じ、聴覚、体感を通じたリラクゼーション効果等の好ましい効果を入浴中のユーザに実感させることができる。
【００３１】
また（ｂ）湯水に混入される薬剤の種類が調節されることで、当該薬剤の放つ香りや色彩、薬効に基づき嗅覚、視覚、体感を通じてリラクゼーション効果等を入浴中のユーザに実感させることができる。
【００３２】
さらに（ｄ）浴室の照明の明るさや色や（ｅ）映像コンテンツが調節されることで、視覚を通じてリラクゼーション効果等を入浴中のユーザに実感させることができる。
【００３３】
また（ｆ）音響コンテンツが調節されることで、聴覚を通じてリラクゼーション効果等を入浴中のユーザに実感させることができる。
【００３４】
気象状態に応じて調節態様が制御された複数の要素により構成される浴室状態の中での入浴を通じ、視覚、聴覚や体感を通じて好ましい効果、ひいては本システムの魅力をユーザに実感させることができる。
【００３５】
なお（ａ）浴室への湯水の調節には、浴槽内の水温（給湯装置が追焚機能を有する場合は追焚温度が含まれる。）、浴槽に供給される湯水の温度、浴室に設けられたシャワーやカラン等を通じて供給される湯水の温度、浴槽等への湯水の供給量、浴室への湯水の供給形態（給湯装置がミスト発生機能を有する場合はミストであるか否か等が含まれる。）及びこれらの時間変化の調節が含まれる。
【００３６】
（ｂ）浴室に供給される湯水への薬剤の調節には、当該湯水に混入される薬剤の種類、量、及びこれらの時間変化の調節が含まれる。
【００３７】
（ｃ）浴室における空気状態の調節には、浴室温度、浴室への送風量、送風方向、浴室の換気量、及びこれらの時間変化の調節が含まれる。
【００３８】
（ｄ）浴室における照明の調節には、浴室における照明の明るさ、色調、及びこれらの時間変化の調節が含まれる。
【００３９】
【発明の実施の形態】
本発明の浴室状態管理システムの実施形態について図面を用いて説明する。
【００４０】
図１は浴室状態管理システムの構成説明図であり、図２は浴室状態管理システムの機能説明図である。
【００４１】
まず、本発明の一実施形態における浴室状態管理システムの構成について図１を用いて説明する。
【００４２】
本システムはホームサーバ１００及び浴室リモコン１０４に加え「要素調節手段」としての給湯装置２１０、薬剤混入装置２２０、浴室空調装置２３０、浴室照明装置２４０、映像装置２５０及び音響装置２６０を備えている。
【００４３】
ホームサーバ１００は気象状態認識ユニット１０２と、第１認識ユニット１１０と、第１記憶装置１１２と、対応関係補正ユニット１１４と、第２認識ユニット１２０と、第２記憶装置１２２と、要素調節処理ユニット１３０と、映像コンテンツ管理ユニット１３２と、音響コンテンツ管理ユニット１３４とを備えている。
【００４４】
気象状態認識ユニット１０２は浴室近傍に設置された温度計、湿度計、気圧計、降雨量測定計、風速計等（図示略）により測定される気温、湿度、気圧、降雨量、風向及び風速等（気象状態）を認識する。
【００４５】
第１認識ユニット１１０は「エリアの気象状態と、浴室状態を構成する要素の調節態様との対応関係」を第１記憶装置１１２から読み取る。また第１認識ユニット１１０は第１記憶装置１１２から読み取った当該対応関係に従い、気象状態認識ユニット１０２により認識された気象状態に対応する浴室を構成する要素（後述）の調節態様を認識する。第１記憶装置１１２により記憶されている対応関係は、気象要素がユーザの心身に与える影響が、精神科医や当該分野の研究者等の専門家により考慮された形で設定されている。
【００４６】
対応関係補正ユニット１１４は気象要素測定ユニット１０２により測定された気象要素と、浴室リモコン（第１設定操作手段）１０４の操作を通じて設定された要素の調節態様との対応関係に近づくように、第１記憶装置１１２により記憶されている対応関係を補正する。
【００４７】
第２認識ユニット１２０は「浴室状態を構成する要素の調節態様と入浴方法との対応関係」を第２記憶装置１２２から読み取る。また第２認識ユニット１２０は第２記憶装置１２２から読み取った当該対応関係に従い、第１認識ユニット１１０により認識された要素の調節態様に応じた入浴方法を認識する。第２記憶装置１２２により記憶保持されている対応関係は、入浴者の健康維持・増進が考慮された形で医師等の専門家により設定されている。
【００４８】
要素調節処理ユニット（要素調節手段）１３０は第１認識ユニット１１０により認識された要素の調節態様に応じた調節指示信号を、ホームサーバ１００から給湯装置２１０、薬剤混入装置２２０、浴室空調装置２３０及び浴室照明装置２４０に送信させる。また要素調節処理ユニット１３０は第１認識ユニット１１０による当該認識に応じた映像コンテンツを映像コンテンツ管理ユニット１３２から取り出してホームサーバ１００から映像装置２５０にダウンロードさせる。さらに要素調節処理ユニット１３０は第１認識ユニット１１０による当該認識に応じた音響コンテンツを音響コンテンツ管理ユニット１３４から取り出してホームサーバ１００から音響装置２６０にダウンロードさせる。
【００４９】
浴室リモコン１０４は液晶パネル１０６を備えている。
【００５０】
ホームサーバ１００は本発明の「第１情報提供手段」として第２認識ユニット１２０により認識された入浴方法に関する情報を液晶パネル１０６に表示する。またホームサーバ１００は本発明の「第２情報提供手段」として気象状態認識ユニット１０２により認識された気象状態に関する情報（気象情報）を液晶パネル１０６に表示する。
【００５１】
さらに浴室リモコン１０４は液晶パネル１０６におけるタッチパネル方式の操作が可能とされ、本発明の「設定操作手段」として要素の調節態様の設定操作機能を有する。
【００５２】
給湯装置２１０は浴槽２１２に湯水を供給するとともに、浴室に設けられたカラン２１４、シャワー２１６を介して浴室に湯水を供給する。また給湯装置２１０はホームサーバ１００から送信される調節指示信号に従い、浴室に供給される湯の温度、量等を調節する。給湯装置２１０が追焚機能を有する場合、調節指示信号に従い、追焚温度を調節する。
【００５３】
薬剤混入装置２２０は給湯装置２１０により浴室に供給される湯水に薬剤を混入する。また薬剤混入装置２２０はホームサーバ１００から送信される調節指示信号に従い、薬剤の種類、混合量等を調節する。
【００５４】
図示しないが、薬剤混入装置２２０は、入浴剤や芳香剤等の複数種類の液状（粉状でもよい）薬剤を種類ごとに貯蔵する貯蔵容器を備えている。それぞれの貯蔵容器は電磁弁が設けられた１次薬剤管を介して混合室に連結され、混合室で電磁弁の開閉により流量が調節されたそれぞれの薬剤が混合され、混合室は２次薬剤管を介し、給湯装置２１０から浴室まで延設された給湯・給水管２１８に連結されている。
【００５５】
浴室空調装置２３０はホームサーバ１００から送信される調節指示信号に従い、浴室への送風温度（ひいては浴室の温度）、浴室への送風量、送風方向及び浴室の換気量等、浴室の空気状態を調節する。
【００５６】
浴室照明装置２４０はホームサーバ１００から送信される調節指示信号に従い、浴室の照明の明るさや色彩を調節する。
【００５７】
映像装置２５０はホームサーバ１００からダウンロードされてきた映像コンテンツを浴室に提供する。
【００５８】
音響装置２６０はホームサーバ１００からダウンロードされてきた映像コンテンツを浴室に提供する。
【００５９】
続いて前記構成の本発明の一実施形態における浴室状態管理システムの機能について図２を用いて説明する。
【００６０】
まず、浴室リモコン１０４がユーザによりＯＮ操作された等のタイミングで、気象状態認識ユニット１０２により、気温、湿度、気圧等、気象状態が認識される（ｓ１）。このとき、ホームサーバ１００により、浴室リモコン１０４の液晶パネル１０６を通じて気象状態に関する情報がユーザに対して表示（提供）される（ｓ２）。
【００６１】
次に第１認識ユニット１１０により「気象状態と、浴室状態を構成する要素の調節態様との対応関係」が第１記憶装置１１２から読み出される。また、第１認識ユニット１１０により、当該対応関係に従い気象状態認識ユニット１０２により認識された気象状態に対応する「要素の調節態様」が認識される（ｓ３）。
【００６２】
続いて第１認識ユニット１１０により認識された調節態様に従って浴室状態を構成する要素がそれぞれ調節される（ｓ４）。
【００６３】
具体的には、要素調節処理ユニット１３０により、ホームサーバ１００から給湯装置２１０に当該調節態様に応じた調節指示信号が送信され、当該信号に従って給湯装置２１０から浴槽２１２に供給される湯の温度や量、カラン２１４及びシャワー２１６を通じて浴室に供給される湯の温度や量、さらにはこれらの時間変化が調節される。なお、浴槽２１２にジェットバス機能が備わっている場合、浴槽２１２へのジェットバブルの供給量、供給態様等が制御されてもよい。
【００６４】
また、要素調節処理ユニット１３０により、ホームサーバ１００から薬剤混入装置２２０に当該調節態様に応じた調節指示信号が送信され、薬剤混入装置２２０により浴室に供給される湯水に混入される薬剤の種類、量及びこれらの時間変化が制御される。
【００６５】
さらに要素調節処理ユニット１３０により、ホームサーバ１００から浴室空調装置２３０に当該調節態様に応じた調節指示信号が送信され、浴室空調装置２３０により浴室への送風温度、送風量、浴室の換気量、及びこれらの時間変化が調節される。
【００６６】
また要素調節処理ユニット１３０により、ホームサーバ１００から浴室照明装置２４０に当該調節態様に応じた調節指示信号が送信される。当該調節指示信号に応じ、浴室照明装置２４０により浴室における照明の明るさ、色調、及びこれらの時間変化が調節される。
【００６７】
さらに映像コンテンツ管理ユニット１３２により管理されている映像コンテンツのうち、当該調節態様に応じた映像コンテンツが、要素調節処理ユニット１３０によりホームサーバ１００から映像装置２５０にダウンロードされ、当該映像コンテンツが映像装置２５０を通じて浴室に提供される。
【００６８】
また、音響コンテンツ管理ユニット１３４により管理されている音響コンテンツのうち、当該調節態様に応じた音響コンテンツが、要素調節処理ユニット１３０によりホームサーバ１００から音響装置２６０にダウンロードされ、当該音響コンテンツが音響装置２６０を通じて浴室に提供される。
【００６９】
続いて、浴室リモコン１０４により、ユーザによる浴室リモコン１０４の操作を通じて要素の調節態様が変更されたか否かが判定される（ｓ５）。具体的には、ユーザによる浴室リモコン１０４の操作を通じ、浴槽２１２に提供される湯の温度が４０℃から４２℃に変更された等の変更があったか否かが判定される。
【００７０】
ここで、要素調節態様の変更があった場合（ｓ５／ＹＥＳ）、当該変更後の調節態様に従って浴室状態を構成する要素がそれぞれ調節される（ｓ６）。
【００７１】
また、この場合、対応関係補正ユニット１１４により、第１記憶装置１１２により記憶保持されている対応関係が、当該変更後の調節態様と気象状態との対応関係に近づくように補正される（ｓ７）。
【００７２】
例えば、気温２５℃という気象状態に対応して浴槽２１２の湯温が４０℃に調節されるという対応関係Ｒ１  が第１記憶装置１１２により記憶され、ユーザによる浴室リモコン１０４の操作を通じて湯温が４２℃に変更設定された場合、対応関係補正ユニット１１４によりこの対応関係Ｒ１  が、気温２５℃に対応して湯温が４２℃に調節されるという対応関係Ｒ２  に補正され得る。
【００７３】
なお、この場合、対応関係補正ユニット１１４により、対応関係Ｒ１  が、気温２５℃という気象状態に対応して本来の調節温度（４０℃）と、ユーザによる設定温度（４２℃）との中間温度（４１℃等）に湯温が調節されるという対応関係に補正されてもよい。
【００７４】
また、その後、気温２５℃という同一の気象状態において、ユーザによる浴室リモコン１０４の操作を通じて湯温が４２℃に変更設定された場合、対応関係補正ユニット１１４により、最新の対応関係が、気温２５℃に対応して湯温が「４２℃」に調節されるという対応関係Ｒ２  に近づくように補正されてもよい。一方、その後、当該変更設定がなかったとき、対応関係補正ユニット１１４により、最新の対応関係が、気温２５℃に対応して湯温が「４０℃」に調節されるという当初の対応関係Ｒ１  に近づくように補正されてもよい。
【００７５】
また、同一の気象状態においてユーザにより複数回にわたり温度が設定された場合、対応関係補正ユニット１１４により、最新の対応関係が、当該気象状態に対応し、湯温が複数の設定温度の「平均温度」に調節されるという対応関係に近づくように補正されてもよい。
【００７６】
例えば、気温２５℃という気象状態において、ユーザにより１回目は湯温が４２℃に設定され、２回目は湯温が４１℃に設定され、‥最新の設定平均温度が４１．２℃となった場合、対応関係補正ユニット１１４により、最新の対応関係が、気温２５℃という気象状態に対応して湯温がこの平均温度（４１．２℃）に調節されるという対応関係に近づくように補正されてもよい。
【００７７】
続いて、第２認識ユニット１２０により「要素の調節態様と入浴方法との対応関係」が第２記憶装置１２２から読み取られる。その上で、第２認識ユニット１２０により、当該対応関係に従い、第１認識ユニット１１０により認識された要素の調節態様に対応する入浴方法が認識される（ｓ８）。
【００７８】
これに応じ、浴室リモコン１０４の液晶パネル１０６を通じ「入浴に関する注意事項  湯が熱いので１０分ごとに湯から出て５分休むというサイクルを繰り返すとよい」等の入浴方法に関する情報がユーザに対して提供される（ｓ９）。
【００７９】
また、ユーザによる調節態様の変更がなかった場合（図５／ＮＯ）、同様に要素の調節態様に対応する入浴方法の認識（ｓ８）、及びユーザに対する入浴方法に関する情報の提供（ｓ９）が実行される。
【００８０】
なお、タイマ（図示略）による計測時間に基づき、入浴後１０分経過時に「湯からあがりましょう」というメッセージが液晶パネル１０６に表示され、さらに５分後に「湯に浸かりましょう」というメッセージが液晶パネル１０６に表示される等、入浴方法に関する情報が逐次提供されてもよい。また、液晶パネル１０６を通じた視覚的情報提供のほか、リモコン１０４の音声発生装置（図示略）を通じた聴覚的な情報提供も可能である。
【００８１】
前記機能を発揮する本発明の一実施形態における前記浴室状態管理システムによれば、第１認識ユニット１１０により認識された「気象状態と要素の調節態様との対応関係」に従い、気象状態認識ユニット１０２により認識された気象状態に対応する要素の調節態様が第１認識ユニット１１０により認識される（図２ｓ３）。また、第１認識ユニット１１０により認識された浴室状態を構成する要素の調節態様に従い、当該要素が要素調節処理ユニット１３０により調節される（図２ｓ４）。さらに前記のように第１記憶装置１１２により記憶されている当該対応関係が、専門家等により気象状態がユーザの心身に与える影響が考慮された上で設定されている。従って、当該ユーザの心身に好ましい影響が与えられるように浴室状態を構成する要素が調節され得る。
【００８２】
例えば、気温及び湿度がともに非常に高い気象状態に応じ、ユーザは当該気象状態から逃れたいという心理になり、清涼感を感じ得るような浴室状態を心地よいと感じる傾向がある。また、気温及び気圧がともに低い気象状態に応じ、ユーザは身体の各関節にだるさや痛みを覚え、そのだるさ等を軽減し得るような効能が得られる浴室状態を希望する傾向がある。
【００８３】
前記浴室状態管理システムによれば、このように気象状態がユーザの心身に与える影響が考慮された形で浴室の空気状態や、湯温、映像コンテンツ等の要素が調節され得る（図２ｓ４）。例えば、ユーザに清涼感を感じさせ得るようにジャスミンの香りの入浴剤（薬剤）が薬剤混入装置２２０により浴槽２１２の湯に混入される。また浴室空調装置２３０により乾燥した冷風が浴室に供給される。さらに映像装置２５０を通じて寒冷地（北極）やそこに生息する動物（ペンギン）を映す映像コンテンツが浴室に提供される。また、ユーザの関節の痛みを和らげるような薬効を有する入浴剤がが薬剤混入装置２２０により浴槽２１２の湯に混入される。
【００８４】
このため、当該要素により最終的に構成される浴室状態を、気象状態により影響を受けたユーザの心身に適合したものとし、当該ユーザに居心地のよさを感じさせ得る。
【００８５】
また、浴室状態を構成する要素の調節態様が、ユーザによる浴室リモコン（設定操作手段）１０４の操作を通じて設定（変更）され得る（図２ｓ５参照）。従って、気象状態認識ユニット１０２により認識された気象状態に応じて自動調節される湯温等の要素がユーザの嗜好に適合しない場合、当該要素の調節態様がユーザの嗜好に適合するように変更され得る。
【００８６】
例えば、前記のように自動調節された湯温が４０℃であり、ユーザがより熱めの湯を希望する場合は浴室リモコン１０４の操作を通じて当該湯温を４２℃に変更し得る。
【００８７】
さらに、気象状態に応じた要素の調節態様が、ユーザによる浴室リモコン１０４の操作を通じて変更された場合（図２ｓ５／ＹＥＳ）、当該変更後の気象状態と要素の調節態様との対応関係に近づく（一致する）ように、第１記憶装置１１２により記憶保持されている当該変更前の対応関係が対応関係補正ユニット１１４により補正される（図２ｓ７）。また、その後当該気象状態が気象状態認識手段により認識された場合、補正後の対応関係に従って要素調節手段により要素が調節される。
【００８８】
補正後の対応関係には浴室リモコン１０４を操作したユーザの嗜好等が反映されているので、当該補正後の対応関係に従って浴室状態の構成要素が、当該ユーザの嗜好に適合するように調節され得る。
【００８９】
また、第２認識ユニット１２０により認識された要素の調節態様と入浴方法との対応関係に従い、第１認識ユニット１１０により認識された要素の調節態様に対応する入浴方法に関する情報がホームサーバ（第１情報提供手段）１００により浴室リモコン１０４を通じてユーザに提供される（図２ｓ９）。前記のように第２記憶装置１２２により記憶されている当該対応関係が、医師等の専門家により設定されている。
【００９０】
従って、要素の調節態様に応じ、ユーザの健康保持・増進の観点から適切な入浴方法に関する情報が当該ユーザに提供され得る。これにより、前記のように気象状態がユーザの心身に及ぼす影響が考慮されて実現された浴室状態において健康保持等を図り得るように当該ユーザに入浴時間を過ごさせることができる。
【００９１】
例えば、浴槽２１２の湯温が熱め（４３℃）に調節されている場合、前記のように浴室リモコン１０４を通じて「湯が熱いので‥分経ったら湯から上がりましょう」のような、ユーザの健康維持の観点から適切な入浴方法に関する情報がユーザに対して提供されうる。
【００９２】
さらに、ホームサーバ１００（第２情報提供手段）により現在、過去、予測される将来の気象状態に関する情報が浴室リモコン１０４を通じてユーザに提供される（図２ｓ２）。従って、ユーザに気象状態と要素の調節態様との対応関係を認識させ、当該対応関係の認識に対する興味、さらには本発明の浴室状態管理システムの利用に対する魅力を覚えさせることができる。
【００９３】
さらに、複数要素（ａ）〜（ｆ）の調節態様に幅を持たせることにより、ユーザの幅広い嗜好に適合する浴室状態を実現することができる。
【００９４】
例えば（ａ）浴室に供給される湯水や（ｃ）浴室の空気状態の調節態様が制御されることで、浴室に供給される湯水やミストの動き、音、温度等が変化する。そして、その視覚を通じ、聴覚、体感を通じたリラクゼーション効果等の好ましい効果を入浴中のユーザに実感させることができる。
【００９５】
また（ｂ）湯水に混入される薬剤の種類が調節されることで、当該薬剤の放つ香りや色彩、薬効に基づき嗅覚、視覚、体感を通じてリラクゼーション効果等を入浴中のユーザに実感させることができる。
【００９６】
さらに（ｄ）浴室の照明の明るさや色、（ｅ）映像コンテンツが調節されることで、視覚を通じてリラクゼーション効果等を入浴中のユーザに実感させることができる。
【００９７】
また（ｆ）音響コンテンツが調節されることで、聴覚を通じてリラクゼーション効果等を入浴中のユーザに実感させることができる。
【００９８】
気象状態に応じて調節態様が制御された複数の要素により構成される浴室状態の中での入浴を通じ、視覚、聴覚や体感を通じて好ましい効果、ひいては本システムの魅力をユーザに実感させることができる。
【００９９】
なお、前記実施形態では気温計等（図示略）により気象要素が測定されることで気象状態認識ユニット１１０により気象状態が認識されたが（図２ｓ１）、他の実施形態として気象状態認識ユニット１１０により気象観測者により管理されているサーバ（図示略）からホームサーバ１００に当該気象状態がインターネット等のネットワークを通じてダウンロードされた上で認識されてもよい。
【０１００】
また前記実施形態では第１認識ユニット１１０により第１記憶装置１１２から「気象状態と要素の調節態様との対応関係」が読み出されたが、他の実施形態として第１認識ユニット１１０により外部サーバ（図示略）からホームサーバ１００に当該対応関係がインターネット等のネットワークを通じてダウンロードされた上で認識されてもよい。
【０１０１】
さらに前記実施形態では第２認識ユニット１２０により第１記憶装置１２２から「要素の調節態様と入浴方法との対応関係」が読み出されたが、他の実施形態として第１認識ユニット１２０により外部サーバ（図示略）からホームサーバ１００に当該対応関係がインターネット等のネットワークを通じてダウンロードされた上で認識されてもよい。
【０１０２】
また前記実施形態ではホームサーバ１００からダウンロードされた映像及び音響コンテンツが映像装置２５０及び音響装置２６０を通じて浴室に提供されたが（図２ｓ４参照）、他の実施形態としてＤＶＤやＣＤ等の記録媒体の再生装置により再生され、又は放送局から無線・有線放送されたコンテンツが浴室に提供されてもよい。
【図面の簡単な説明】
【図１】本発明の一実施形態における浴室状態管理システムの構成説明図
【図２】本発明の一実施形態における浴室状態管理システムの機能説明図
【符号の説明】
１００‥ホームサーバ（第１情報提供手段、第２情報提供手段）、１０２‥気象状態認識ユニット、１０４‥浴室リモコン（設定操作手段）、１１０‥第１認識ユニット、１１２‥第１記憶装置、１１４‥対応関係補正ユニット、１２０‥第２認識ユニット、１２２‥第２記憶装置、１３０‥要素調節処理ユニット、１３２‥映像コンテンツ管理ユニット、１３４‥音響コンテンツ管理ユニット、２１０‥給湯装置、２２０‥薬剤混入装置、２３０‥浴室空調装置、２４０‥浴室照明装置、２５０‥画像装置、２６０‥音響装置
【図１】
2004301379.tif 000003
【図２】
2004301379.tif 000004